(57)【要約】【課題】植物の休眠を制御可能な植物栽培方法、及び該方法に用いられる植物栽培装置を提供する。【解決手段】休眠状態の植物に対して、波長域４００〜５００ｎｍの青色光、波長域６００〜７００ｎｍの赤色光、又は波長域７００〜８００ｎｍの遠赤色光を照射する光照射工程を有する、植物栽培方法。休眠状態の植物に対して、波長域４００〜５００ｎｍの青色光、波長域６００〜７００ｎｍの赤色光、又は波長域７００〜８００ｎｍの遠赤色光を照射する光源を備えた、植物栽培装置。【選択図】なし【特許請求の範囲】
【請求項１】
休眠状態の植物に対して、波長域４００〜５００ｎｍの青色光、波長域６００〜７００ｎｍの赤色光、又は波長域７００〜８００ｎｍの遠赤色光を照射する光照射工程を有する、植物栽培方法。
【請求項２】
前記光照射工程を、日の入りから日の出までに対応する時間帯において行う、請求項１に記載の植物栽培方法。
【請求項３】
前記光照射工程を、休眠状態の植物の一休眠期のうち３６０時間以上行う、請求項１又は２に記載の植物栽培方法。
【請求項４】
前記植物に照射される前記青色光、前記赤色光、又は前記遠赤色光の光量子束密度が０．１〜３００μｍｏｌｍ−２ｓ−１である、請求項１〜３のいずれか一項に記載の植物栽培方法。
【請求項５】
前記休眠状態の植物が、バラ科の落葉樹である請求項１〜４のいずれか一項に記載の植物栽培方法。
【請求項６】
休眠状態の植物を３６０時間以上の連続暗期条件で栽培することを含む、植物栽培方法。
【請求項７】
請求項１〜５のいずれか一項に記載の植物栽培方法に用いる装置であって、休眠状態の植物に対して、波長域４００〜５００ｎｍの青色光、波長域６００〜７００ｎｍの赤色光、又は波長域７００〜８００ｎｍの遠赤色光を照射する光源を備えた、植物栽培装置。
【発明の詳細な説明】
【技術分野】
【０００１】
本発明は、休眠状態にある植物に対する光条件制御により休眠を制御する、植物栽培方法及び該方法に用いる植物栽培装置に関する。
【背景技術】
【０００２】
落葉樹では、夏に形成された芽は、発育を停止し呼吸などの代謝活性を極端に抑えた「自発休眠」と呼ばれる状態で越冬する。自発休眠が覚醒しないと成長は再開しない。通常の自発休眠の覚醒条件としては、一定期間の低温遭遇がある。自発休眠覚醒後には、樹は温暖により開花に至る。そのため落葉樹の開花期は、基本的には冬の低温と春の温暖により決定される。
【０００３】
一方、落葉果樹の栽培現場においては、開花期を制御する技術に需要がある。例えば、開花期が前進できれば、収穫期の前進が見込まれる。また例えば、開花期を遅らせることができれば、晩霜による花の被害を軽減できる可能性がある。
【０００４】
落葉樹の開花期は気温により決定されるため、最も単純かつ確実な開花期の制御方法は、樹の冷却又は加温である。
また、特許文献１及び２には、開花期を前進させる薬剤が開示されている。
【先行技術文献】
【特許文献】
【０００５】
【特許文献１】特開２００５−１７６７２８号公報
【特許文献２】特開２０１０−０４７５１４号公報
【発明の概要】
【発明が解決しようとする課題】
【０００６】
一般的に露地で栽培される果樹については、エネルギー消費量の観点から樹全体を温度制御することは現実的ではない。
一方、発芽促進剤については登録対象となっている樹以外には使用できない。また発芽を遅らせる薬剤については登録がない。
【０００７】
本発明は上記事情に鑑みてなされたものであり、植物の休眠を制御可能な植物栽培方法、及び該方法に用いられる植物栽培装置を提供することを課題とする。
【課題を解決するための手段】
【０００８】
発明者は樹に照射する光条件を制御することで植物の休眠を制御可能であることを見出し、本発明を完成させた。
本発明は、下記の特徴を有する植物栽培方法及び植物栽培装置を提供するものである。
【０００９】
（１）休眠状態の植物に対して、波長域４００〜５００ｎｍの青色光、波長域６００〜７００ｎｍの赤色光、又は波長域７００〜８００ｎｍの遠赤色光を照射する光照射工程を有する、植物栽培方法。
（２）前記光照射工程を、日の入りから日の出までに対応する時間帯において行う、前記（１）に記載の植物栽培方法。
（３）前記光照射工程を、休眠状態の植物の一休眠期のうち３６０時間以上行う、前記（１）又は（２）に記載の植物栽培方法。
（４）前記植物に照射される前記青色光、前記赤色光、又は前記遠赤色光の光量子束密度が０．１〜３００μｍｏｌｍ−２ｓ−１である、前記（１）〜（３）のいずれか一つに記載の植物栽培方法。
（５）前記休眠状態の植物が、バラ科の落葉樹である前記（１）〜（４）のいずれか一つに記載の植物栽培方法。
（６）休眠状態の植物を３６０時間以上の連続暗期条件で栽培することを含む、植物栽培方法。
（７）前記（１）〜（５）のいずれか一つに記載の植物栽培方法に用いる装置であって、休眠状態の植物に対して、波長域４００〜５００ｎｍの青色光、波長域６００〜７００ｎｍの赤色光、又は波長域７００〜８００ｎｍの遠赤色光を照射する光源を備えた、植物栽培装置。
【発明の効果】
【００１０】
本発明によれば、植物の休眠を制御可能である。
【図面の簡単な説明】
【００１１】
【図１】ニホンナシの成長ステージ及びその時期を説明する図である。
【図２】実施例において取得された、低温期の明暗条件がニホンナシの開花に及ぼす影響の結果を示すグラフである。
【図３】実施例において取得された、低温期の夜間の光照射がニホンナシの開花に及ぼす影響の結果を示す写真である。
【図４】開花状況の指標とした花芽の開花状態を示す写真である。
【図５】実施例において取得された、低温期の夜間の光照射がニホンナシの開花に及ぼす影響の結果を示すグラフである。
【図６】実施例において取得された、低温期の夜間の光照射がニホンナシの開花に及ぼす影響の結果を示すグラフである。
【発明を実施するための形態】
【００１２】
≪植物栽培方法≫
図１は、日本における落葉樹の成長ステージとその時期を、ニホンナシを例として説明する図である。落葉樹は、冬の間は成長を止め、春になってから枝を伸ばしたり花を咲かせたりする。冬の間の成長が止まっている間は「自発休眠」と呼ばれ、この期間は「自発休眠期」と呼ばれる。樹は、一定以上の低温を経験すると、冬の終わり、即ち春の訪れを判断して、休眠から目覚める。この休眠から目覚める時期を「休眠覚醒期」という。自発休眠から覚醒した樹は、温かくなることで、芽の成長が促進され（「花芽発育期」）、開花に至る。
【００１３】
植物には種子休眠を示すものと芽休眠を示すものがある。本明細書中における「休眠状態」の休眠とは芽休眠のことをいう。
【００１４】
休眠状態の植物は、植物が生育又は発生を休止又は著しく低下させている。休眠状態は、冬季の落葉樹で通常みられる状態であり、この間、樹は葉を落葉させて組織の成長を停止している。一旦、自発休眠状態となった植物は、たとえ成長に適した環境が一時的に訪れたとしても、休眠覚醒するまで成長を開始することはない。
【００１５】
植物が休眠状態となること、およびその状態については公知であり、一部の植物については自然環境下における自発休眠期も詳細に明らかにされている。自発休眠期は、植物種や休眠前の環境によって多少異なることがあるが、例えば、ニホンナシの場合の自発休眠期は、１１月初め〜１２月末である。
【００１６】
（光照射）
本発明の植物栽培方法は、休眠状態の植物に対して、波長域４００〜５００ｎｍの青色光、波長域６００〜７００ｎｍの赤色光、又は波長域７００〜８００ｎｍの遠赤色光を照射する光照射工程を有する。
休眠状態の植物に上記青色光、上記赤色光、又は上記遠赤色光を照射することで、植物の休眠を制御することができる。
休眠状態の植物に上記青色光、又は上記赤色光を照射することで、植物の休眠覚醒期を早めることができる。
休眠状態の植物に上記遠赤色光を照射することで、植物の休眠覚醒期を遅延させることができる。
【００１７】
植物の休眠覚醒期を早めたことは、上記青色光又は上記赤色光が照射されていない植物に比べ、上記青色光又は上記赤色光が照射された植物で、休眠覚醒の時期が早められたことで確認できる。
植物の休眠覚醒期を遅延させたことは、上記遠赤色光が照射されていない植物に比べ、上記遠赤色光が照射された植物で、休眠覚醒の時期が遅められたことで確認できる。
休眠覚醒の時期は、休眠覚醒後に生じる花の開花を指標として判断すればよく、係る指標としては花の満開日、開花率、開花ステージの推移等を採用可能である。
【００１８】
本発明の一実施形態として、休眠状態の植物に対して、波長域４００〜５００ｎｍの青色光、波長域６００〜７００ｎｍの赤色光、又は波長域７００〜８００ｎｍの遠赤色光を照射する光照射工程を有する、休眠覚醒期の制御方法を提供する。
本発明の一実施形態として、休眠状態の植物に対して、波長域４００〜５００ｎｍの青色光、又は波長域６００〜７００ｎｍの赤色光を照射する光照射工程を有する、休眠覚醒期の促進方法を提供する。
本発明の一実施形態として、休眠状態の植物に対して、波長域７００〜８００ｎｍの遠赤色光を照射する光照射工程を有する、休眠覚醒期の遅延方法を提供する。
【００１９】
本発明の一実施形態として、休眠状態の植物に対して、波長域４００〜５００ｎｍの青色光、波長域６００〜７００ｎｍの赤色光、又は波長域７００〜８００ｎｍの遠赤色光を照射する光照射工程を有する、花の開花期の制御方法を提供する。
本発明の一実施形態として、休眠状態の植物に対して、波長域４００〜５００ｎｍの青色光、又は波長域６００〜７００ｎｍの赤色光を照射する光照射工程を有する、花の開花期の促進方法を提供する。
本発明の一実施形態として、休眠状態の植物に対して、波長域７００〜８００ｎｍの遠赤色光を照射する光照射工程を有する、花の開花期の遅延方法を提供する。
【００２０】
波長域４００〜５００ｎｍの青色光とは、４００〜５００ｎｍの波長域を主波長とする青色光であり、波長域６００〜７００ｎｍの赤色光とは、６００〜７００ｎｍの波長域を主波長とする赤色光であり、波長域７００〜８００ｎｍの遠赤色光とは、７００〜８００ｎｍの波長域を主波長とする遠赤色光である。ここで主波長とは、光のスペクトル分布において強度の極大値を有する波長を意味する。
【００２１】
上記青色光、赤色光、遠赤色光は、人為的に発せられた人工光が挙げられる。
青色光、赤色光、遠赤色光の光源としては、例えば、上記の主波長の光を発光する光源が挙げられ、発光ダイオード（ＬＥＤ，Ｌｉｇｈｔ  Ｅｍｉｔｔｉｎｇ  Ｄｉｏｄｅ）、半導体レーザー（ＬＤ、Ｌａｓｅｒ  Ｄｉｏｄｅ）等を例示できる。あるいは、適当なフィルターを用いて青色光、赤色光又は遠赤色光を発するようにした光源を用いてもよい。例えば、白色光を発光する蛍光灯に調色のためのフィルターを取り付け、これを青色光、赤色光、遠赤色光の光源として用いてもよい。
【００２２】
光量子束密度は、単位面積・単位時間あたりの光子数を示す値である。
植物に照射される青色光の光量子束密度は、植物種によって適宜定めることができ、０．１〜３００μｍｏｌｍ−２ｓ−１であることが好ましく、０．１〜１００μｍｏｌｍ−２ｓ−１であることがより好ましく、０．１〜５０μｍｏｌｍ−２ｓ−１であることがさらに好ましく、０．１〜１０μｍｏｌｍ−２ｓ−１であることが特に好ましい。
植物に照射される赤色光の光量子束密度は、植物種によって適宜定めることができ、０．１〜３００μｍｏｌｍ−２ｓ−１であることが好ましく、０．１〜１００μｍｏｌｍ−２ｓ−１であることがより好ましく、０．１〜５０μｍｏｌｍ−２ｓ−１であることがさらに好ましく、０．１〜１０μｍｏｌｍ−２ｓ−１であることが特に好ましい。
植物に照射される遠赤色光の光量子束密度は、植物種によって適宜定めることができ、０．１〜３００μｍｏｌｍ−２ｓ−１であることが好ましく、０．１〜１００μｍｏｌｍ−２ｓ−１であることがより好ましく、０．１〜５０μｍｏｌｍ−２ｓ−１であることがさらに好ましく、０．１〜１０μｍｏｌｍ−２ｓ−１であることが特に好ましい。
上記範囲の光量を植物に照射することで、より効率的に植物の休眠を制御することができる。
【００２３】
植物体のうち、植物が光照射をうける箇所は、特に制限されず、植物体の一部のみに光を照射してもよく、植物体の全部に光を照射してもよい。植物体に光を照射する方向は特に制限されず、植物体の主軸の伸長方向に対して上から照射してもよく、横から照射してもよく、下から照射してもよい。
休眠状態の植物体は、落葉した状態にある場合も想定されるため、植物体が光照射を受けるのは、植物の幹や枝の表皮や休眠中の芽等が挙げられる。
【００２４】
植物に照射される光の光量子束密度の値は、植物体が光を受ける箇所に光量子束密度計を配置して測定すればよい。上から光を照射する場合、例えば、地表面等の植物体の植え付け面の適当な位置に光量子束密度計を配置して測定し、光量子束密度の値を求めてもよい。
【００２５】
前記光照射工程は、日の入りから日の出までに対応する時間帯において行うことが好ましい。このことは、本来太陽光が照射されない夜間に、積極的に植物に光を照射することを目的としている。
日の入りから日の出までの時間は、植物を栽培している環境に合わせて適宜定めればよい。日本での露地栽培の場合、例えば、１１月ごろの日の入りの時間である１６時４９分から、同じく１１月ごろの日の出の時間である６時００分まで、植物に光照射することが挙げられる。
なお、光照射工程を、日の入りから日の出までに対応する時間帯において行うことは、日の出後の昼間の時間帯に光照射工程を行うことを妨げるものではない。
【００２６】
人工気象装置内など、人工的な光環境下で栽培されている植物の場合、日の入りから日の出までに対応する時間帯とは、明暗周期設定における暗期が該当する。例えば、１２時間明期・１２時間暗期のサイクルで栽培されている植物の場合、明期として白色光を１２時間照射した後、暗期の期間に青色光、赤色光、又は遠赤色光を１２時間照射する。
【００２７】
光照射工程において、光の照射は連続して行われてもよく、一時的に中断されてもよい。
光の照射の積算時間は、植物種に応じて適宜定めることができ、休眠を制御可能な時間分の光を、植物に照射すればよい。
【００２８】
実施形態の栽培方法において、前記光照射工程を、休眠状態の植物の一休眠期のうち、例えば、３６０時間以上行うことが好ましく、４００時間以上行うことが好ましく、７００時間以上行うことがより好ましく、１０００時間以上行うことがさらに好ましい。
照射時間の上限は、照射対象の植物種の通常の休眠期間等も考慮し、適宜定めることができる。例えば、前記光照射工程を、休眠状態の植物の一休眠期のうち、例えば、３６００時間以下行うことが好ましく、２０００時間以下行うことがより好ましく、１５００時間以下行うことがさらに好ましく、１２００時間以下行うことが特に好ましい。
前記光照射工程を、休眠状態の植物の一休眠期のうち、例えば、３６０時間以上３６００時間以下行ってもよく、４００時間以上２０００時間以下行ってもよく、７００時間以上１５００時間以下行ってもよく、１０００時間以上１２００時間以下行ってもよい。
【００２９】
（暗期処理）
本発明の植物栽培方法は、休眠状態の植物を３６０時間以上の連続暗期条件で栽培する暗期処理を含む。上記連続暗期は７００時間以上であってもよく、９００時間以上であってもよい。
連続暗期時間の上限は、照射対象の植物種の通常の休眠期間等も考慮し、適宜定めることができる。例えば、前記連続暗期の時間は、休眠状態の植物の一休眠期のうち、例えば、３６００時間以下であってもよく、２０００時間以下であってもよく、１５００時間以下であってもよい。
前記連続暗期の時間は、休眠状態の植物の一休眠期のうち、例えば、３６０時間以上３６００時間以下であってもよく、７００時間以上２０００時間以下であってもよく、９００時間以上１５００時間以下であってもよい。
休眠状態の植物を上記連続暗期条件で栽培することで、植物の休眠を制御することができる。
休眠状態の植物を上記連続暗期条件で栽培することで、植物の休眠覚醒期を遅延させることができる。
【００３０】
植物の休眠覚醒期を遅延させたことは、上記連続暗期で処理されていない植物に比べ、上記連続暗期で処理された植物で、休眠覚醒の時期が遅められたことで確認できる。
休眠覚醒の時期は、休眠覚醒後に生じる花の開花を指標として判断すればよく、係る指標としては花の満開日、開花率、開花ステージの推移等を採用可能である。
【００３１】
本発明の一実施形態として、休眠状態の植物を上記連続暗期条件で栽培する暗期処理を含む、休眠覚醒期の制御方法を提供する。
本発明の一実施形態として、休眠状態の植物を上記連続暗期条件で栽培する暗期処理を含む、休眠覚醒期の遅延方法を提供する。
【００３２】
本発明の一実施形態として、休眠状態の植物を上記連続暗期条件で栽培する暗期処理を含む、花の開花期の制御の制御方法を提供する。
本発明の一実施形態として、休眠状態の植物を上記連続暗期条件で栽培する暗期処理を含む、花の開花期の制御の遅延方法を提供する。
【００３３】
（低温処理）
本発明の植物栽培方法において、上記光照射工程に加え、休眠状態の植物に対し低温処理を行ってもよい。これは、休眠状態の植物の一休眠期のうち、光照射工程と低温処理とを両方行うことを意味する。低温処理と光照射工程は、同時に行われてもよく、別々に行われてもよい。
本発明の植物栽培方法において、上記暗期処理に加え、休眠状態の植物に対し低温処理を行ってもよい。これは、休眠状態の植物の一休眠期のうち、暗期処理と低温処理とを両方行うことを意味する。低温処理と暗期処理は、同時に行われてもよく、別々に行われてもよい。
低温処理は、一例として、−３〜１５℃程度、好ましくは−６〜１２℃程度の低温環境下に休眠状態の植物をさらすことが挙げられ、これは−３〜１５℃程度、好ましくは−６〜１２℃程度の冷気に休眠状態の植物を接触させることが挙げられる。低温処理により、植物の休眠覚醒期を制御可能である。低温処理の期間は、１００〜１５００時間程度とすることができ、好ましくは７５０〜１５００時間程度とすることができる。低温処理は、春化処理とも呼ばれる。
【００３４】
（植物）
本発明の適用対象の植物は、休眠状態となることが可能な植物であれば特に制限されず、落葉樹を例示できる。落葉樹は低温要求性落葉樹であってもよい。落葉樹は落葉果樹であってもよい。落葉樹としては、リンゴ、ナシ、モモ、スモモ、セイヨウスモモ、ウメ、アンズ、オウトウ、キイチゴ、アーモンド、サクラ、バラ等のバラ科（Ｒｏｓａｃｅａｅ）植物、クリ等のブナ科（Ｆａｇａｃｅａｅ）植物、クルミ等のクルミ科（Ｊｕｇｌａｎｄａｃｅａｅ）植物、ブドウ等のブドウ科（Ｖｉｔａｃｅａｅ）植物、カキ等のカキノキ科（Ｅｂｅｎａｃｅａｅ）植物、イチジク等のクワ科（Ｍｏｒａｃｅａｅ）植物、ブルーベリー等のツツジ科（Ｅｒｉｃａｃｅａｅ）植物等が挙げられ、バラ科植物が好ましい。バラ科植物のなかでも、ニホンナシ等のナシ属（Ｐｙｒｕｓ）植物が好ましい。
【００３５】
≪植物栽培装置≫
本発明の植物栽培装置は、上記の植物栽培方法に用いる装置であって、休眠状態の植物に対して、波長域４００〜５００ｎｍの青色光、波長域６００〜７００ｎｍの赤色光、又は波長域７００〜８００ｎｍの遠赤色光を照射する光源を備えたものである。
【００３６】
青色光、赤色光、遠赤色光は、上記植物栽培方法において説明したものと同一のため、説明を省略する。
青色光、赤色光、遠赤色光の光源としては、例えば、上記の主波長の光を発光する光源が挙げられ、発光ダイオード（ＬＥＤ，Ｌｉｇｈｔ  Ｅｍｉｔｔｉｎｇ  Ｄｉｏｄｅ）、半導体レーザー（ＬＤ、Ｌａｓｅｒ  Ｄｉｏｄｅ）等を例示できる。あるいは、適当なフィルターを用いて青色光、赤色光又は遠赤色光を発するようにした光源を用いてもよい。例えば、白色光を発光する蛍光灯に調色のためのフィルターを取り付け、これを青色光、赤色光、遠赤色光の光源として用いてもよい。
【００３７】
光源の照射部は、植物の主軸の伸長方向に対して上方に配置されていてもよく、側方に配置されていてもよく、下方に配置されていてもよい。
植物栽培装置は、光源を１つのみ有していてもよく、複数個有していてもよい。
【００３８】
植物栽培装置は、上記の光源の点灯、消灯、調節及び／又はのタイミング、或いは調光を制御する制御部を有することが好ましい。制御部としては、タイマー等が挙げられる。植物栽培装置が制御部を有することで、光源の点灯又は消灯を制御可能となる。制御部を有する植物栽培装置は、上記植物栽培方法のうち、光照射工程を、日の入りから日の出までに対応する時間帯において行うことを含む植物栽培方法に、好適に用いることができる。
制御部は、例えば、日の入りの時間になったときに光源を点灯させ、日の出の時間になったときに光源を消灯させる。光源の点灯は、日の入りの時間と同時であってもよく、日の入の時間の前であってもよく、後であってもよい。光源の消灯は、日の出の時間と同時あってもよく、日の入りの時間の前であってもよく、後であってもよい。
【００３９】
人工気象装置内など、人工的な光環境下で栽培されている植物の場合、日の入りから日の出までに対応する時間帯とは、明暗周期設定における暗期が該当する。例えば、１２時間明期・１２時間暗期のサイクルで植物を栽培しようとする場合、制御部は、明期として１２時間白色光を照射した後、１２時間青色光、赤色光、又は遠赤色光を照射するよう制御してもよい。
【００４０】
本発明の植物栽培装置によれば、休眠状態の植物に上記青色光、上記赤色光、又は上記遠赤色光を照射することで、植物の休眠を制御できる。
【００４１】
また、植物栽培装置が制御部を備えることで、制御部が光源の点灯及び／又は消灯を制御し、光源が点灯している必要性の低い太陽光が照射される日中の時間帯に、光源を点灯しておくことが防止されるので、経済的にも環境的にも優れる。更には、植物栽培装置が制御部を備えることで、光照射時間の制御が可能となり、花の開花期の制御等の休眠覚醒期を、より精度高く制御することが可能となる。
【実施例】
【００４２】
次に実施例を示して本発明をさらに詳細に説明するが、本発明は以下の実施例に限定されるものではない。
【００４３】
１．低温期の明暗条件がニホンナシの開花に及ぼす影響
（実施例１）
茨城県つくば市の屋外で栽培されていた３年生のニホンナシ「幸水」ポット樹を、供試した。ポット樹を１１月１日に６℃の低温処理施設内で低温遭遇させ、光照射の無い室内環境である連続暗環境下に配した。低温遭遇時間が１１２５時間に達したところで、１５℃、自然日照の人工気象室にポット樹を移動して加温し、腋花芽開花率を定期的に調査した。
腋花芽開花率は、ポット樹１つあたりに形成された腋花芽のうち、加温から２か月後までに開花した腋花芽の割合とした。
【００４４】
（実施例２）
低温遭遇時間が１５００時間に達したところで、上記人工気象室にポット樹を移動して加温したこと以外は、上記実施例１と同様にしてニホンナシを栽培し、腋花芽開花率を調査した。
【００４５】
（参考例１）
対照として、上記暗黒条件下に代えて、１２時間日長の条件下でポット樹を栽培した以外は、上記実施例１と同様にしてニホンナシを栽培し、腋花芽開花率を調査した。上記１２時間日長とは、具体的には、白熱灯により約２０μｍｏｌｍ−２ｓ−１の白色光を１２時間照射して明環境下とし、その後１２時間光照射の無い暗環境下とし、明環境下と暗環境下を交互に繰り返した。
【００４６】
（参考例２）
低温遭遇時間が１５００時間に達したところで、上記人工気象室にポット樹を移動して加温したこと以外は、上記参考例１と同様にしてニホンナシを栽培し、腋花芽開花率を調査した。
【００４７】
結果を図２に示す。図２中、「１２  ｈｏｕｒ−ｌｉｇｈｔ」は１２時間明環境下と１２時間暗環境下の交互繰り返し（１２時間日長）を示し、「Ｄａｒｋ」は図２中の時間の連続暗環境下を示す。
ニホンナシのポット樹の腋花芽開花率は、１２時間日長で低温遭遇させた樹よりも、暗黒条件下で低温遭遇させた樹のほうで低くなった。
【００４８】
２．低温期の夜間の光照射がニホンナシの開花に及ぼす影響
（実施例３）
茨城県つくば市の屋外で栽培されていた４年生のニホンナシ「幸水」のポット樹に対し、２０１３年１０月１５日から翌年の３月６日まで、ＬＥＤ電球を用いて日没から日の出にかけて青色光（最大波長４６０ｎｍ）を照射した。照射した光の強さは、植え付け面での測定で約０．５〜１μｍｏｌｍ−２ｓ−１とした。ポット樹は屋外で栽培し、日中は通常の日光が照射される環境に置いた。３月６日を過ぎてからは光の照射は行わず、開花期までそのまま露地で生育させ、満開日を調査した。満開日は上記の腋花芽開花率が９割以上となった日とした。
【００４９】
（実施例４）
上記青色光に代えて、赤色光（最大波長６６０ｎｍ）を照射した以外は、上記実施例３と同様にしてニホンナシを栽培し、満開日を調査した。
【００５０】
（実施例５）
上記青色光に代えて、遠赤色光（最大波長７３０ｎｍ）を照射した以外は、上記実施例３と同様にしてニホンナシを栽培し、満開日を調査した。
【００５１】
（比較例１）
対照として、上記光照射を行わなかった以外は、上記実施例３と同様にしてニホンナシを栽培し、満開日を調査した。
【００５２】
結果を表１に示す。４月１０日に撮影した各ニホンナシの様子を図３に示す。図３中、「青色」は青色光照射を示し、「赤色」は赤色光照射を示し、「ｃｏｎｔ」は当該光照射を行わなかったことを示し、「遠赤色」は遠赤色光照射を示す。
【００５３】
【表１】
2017077203.tif 000002
【００５４】
青色光処理により満開日が早まる一方、遠赤色光処理により、満開日が遅延することが明らかとなった。
【００５５】
３．低温期の夜間の光照射がニホンナシの開花に及ぼす影響
（実施例６）
茨城県つくば市の屋外で栽培されていた５年生のニホンナシ「幸水」のポット樹に対し、２０１４年９月１６日から同年の１２月２２日まで、ＬＥＤ電球を用いて日没から日の出にかけて青色光（最大波長４６０ｎｍ）を照射した。照射した光の強さは、植え付け面での測定で約０．５〜１μｍｏｌｍ−２ｓ−１とした。ポット樹は屋外で栽培し、日中は通常の日光が照射される環境に置いた。１２月２２日を過ぎてからは光の照射は行わず、最低気温１０℃以上で管理されたガラス温室に移動させ、開花期まで生育させた。その後、開花状況（開花ステージ）、及び腋花芽開花率を調査した。開花状況は図４に示す開花状況の指標により判断した。腋花芽開花率は上記と同様である。
【００５６】
（実施例７）
上記青色光に代えて、赤色光（最大波長６６０ｎｍ）を照射した以外は、上記実施例６と同様にしてニホンナシを栽培し、開花状況及び腋花芽開花率を調査した。
【００５７】
（実施例８）
上記青色光に代えて、遠赤色光（最大波長７３０ｎｍ）を照射した以外は、上記実施例６と同様にしてニホンナシを栽培し、開花状況及び腋花芽開花率を調査した。
【００５８】
（比較例２）
対照として、上記光照射を行わなかった以外は、上記実施例６と同様にしてニホンナシを栽培し、開花状況及び腋花芽開花率を調査した。
【００５９】
開花状況の推移結果を図５に示す。腋花芽開花率を図６に示す。図５及び図６中、「ｃｏｎｔ」は当該光照射を行わなかったことを示し、「Ｒ」は赤色光照射を示し、「ＦＲ」は遠赤色光照射を示し、「Ｂ」は青色光照射を示す。
青色光処理により開花率が高まり開花が早まる一方、遠赤色光処理により、開花率が低下し開花が遅延することが明らかとなった。
【００６０】
以上で説明した各実施形態における各構成及びそれらの組み合わせなどは一例であり、本発明の趣旨を逸脱しない範囲で、構成の付加、省略、置換、およびその他の変更が可能である。また、本発明は各実施形態によって限定されることはなく、請求項（クレーム）の範囲によってのみ限定される。
【産業上の利用可能性】
【００６１】
本発明によれば、休眠期を有する植物の栽培において、開花期を前進又は遅延させることが可能であり、植物の栽培を行う農家をはじめ、農業関連分野などで広く利用可能である。
【図２】
2017077203.tif 000003
【図５】
2017077203.tif 000004
【図６】
2017077203.tif 000005
【図１】
2017077203.tif 000006
【図３】
2017077203.tif 000007
【図４】
2017077203.tif 000008